(57)【特許請求の範囲】
【請求項１】
第１再生装置からコンテンツの第１管理情報を取得する情報取得部と、
前記情報取得部が取得した前記第１管理情報に基づいて、前記第１再生装置の管理するコンテンツを再生させるための再生情報を、第２再生装置に取得させる、再生情報送信部と、
を備え、
前記第１再生装置は、子機に対してコンテンツの配信を行なう配信装置であり、
前記情報取得部は、前記子機におけるコンテンツの管理情報である子機管理情報をさらに取得し、
前記再生情報は、前記第２再生装置に対して、前記子機の管理するコンテンツを再生させる情報を含む、
情報処理装置。
【請求項２】
前記情報取得部は、第２再生装置から第２管理情報を取得し、
表示部と、
前記第１管理情報および前記第２管理情報を統合して前記表示部に表示する表示処理部と、
を備えた請求項１に記載の情報処理装置。
【請求項３】
前記情報取得部は、第２再生装置から第２管理情報を取得し、
表示部と、
前記第１管理情報および前記第２管理情報を、それぞれ前記第１再生装置および前記第２再生装置が管理するコンテンツとして前記表示部に表示する表示処理部と、
を備えた請求項１に記載の情報処理装置。
【請求項４】
前記表示処理部は、前記第１管理情報および前記第２管理情報について、前記第２再生装置において再生可能なコンテンツと、再生できないコンテンツとを区別して表示する、
請求項２または請求項３に記載の情報処理装置。
【請求項５】
表示部と、
前記表示部に前記第１管理情報および前記子機管理情報を統合して表示する表示処理部と、
を備えた請求項１に記載の情報処理装置。
【請求項６】
第１再生装置からコンテンツの第１管理情報を取得する情報取得部と、
前記情報取得部が取得した前記第１管理情報に基づいて、前記第１再生装置の管理するコンテンツを再生させるための再生情報を、第２再生装置に取得させる、再生情報送信部と、
を備え、
前記第１再生装置は、子機に対してコンテンツの配信を行なう配信装置であり、
前記情報取得部は、第２再生装置から第２管理情報を取得し、かつ前記子機におけるコンテンツの第３管理情報をさらに取得し、
前記再生情報は、前記第２再生装置に対して、前記子機の管理するコンテンツを再生させる情報を含み、
表示部と、
前記第１管理情報、前記第２管理情報、および前記第３管理情報を統合して前記表示部に表示する表示処理部と、
を備えた情報処理装置。
【請求項７】
前記第１管理情報は、
ユーザが選んだ任意のコンテンツリストの内容を示す情報である、
請求項１乃至請求項６のいずれか１項に記載の情報処理装置。
【請求項８】
前記コンテンツは、外部サーバに保持されたデータを含む、
請求項１乃至請求項７のいずれか１項に記載の情報処理装置。
【請求項９】
請求項１乃至請求項８のいずれかに記載の情報処理装置からなるスマートフォン。
【請求項１０】
他の再生装置からコンテンツの管理情報を取得して、該管理情報に基づいて、前記他の再生装置の管理するコンテンツを再生するための再生情報を取得する情報取得部と、
前記情報取得部が取得した前記再生情報に基づいて、対応するコンテンツを取得するコンテンツ取得部と、
前記コンテンツ取得部が取得したコンテンツを再生する再生部と、
を備えた再生装置であって、
前記他の再生装置は、子機に対してコンテンツの配信を行なう配信装置であり、
前記情報取得部は、前記子機におけるコンテンツの管理情報である子機管理情報をさらに取得し、
前記再生情報は、自装置に対して、前記子機の管理するコンテンツを再生させる情報を含む、
再生装置。
【請求項１１】
第１再生装置からコンテンツの第１管理情報を取得する情報取得部と、
前記情報取得部が取得した前記第１管理情報に基づいて、第２再生装置に対して、前記第１再生装置の管理するコンテンツを再生させる再生情報を送信する再生情報送信部と、
を情報処理装置に実行させるプログラムであって、
前記第１再生装置は、子機に対してコンテンツの配信を行なう配信装置であり、
前記情報取得部は、前記子機におけるコンテンツの管理情報である子機管理情報をさらに取得し、
前記再生情報は、前記第２再生装置に対して、前記子機の管理するコンテンツを再生させる情報を含む、
プログラム。
【請求項１２】
第１再生装置からコンテンツの第１管理情報を取得する情報取得処理と、
前記情報取得処理で取得した前記第１管理情報に基づいて、第２再生装置に対して、前記第１再生装置の管理するコンテンツを再生させる再生情報を送信する再生情報送信処理と、
を情報処理装置が実行する情報処理方法であって、
前記第１再生装置は、子機に対してコンテンツの配信を行なう配信装置であり、
前記情報取得処理は、前記子機におけるコンテンツの管理情報である子機管理情報をさらに取得し、
前記再生情報は、前記第２再生装置に対して、前記子機の管理するコンテンツを再生させる情報を含む、
情報処理方法。
【発明の詳細な説明】
【技術分野】
【０００１】
本発明の一実施形態は、所定の情報を取得し、取得した情報に応じて各種の処理を行なう情報処理装置に関する。
【背景技術】
【０００２】
特許文献１には、ネットワークを介してあるプレーヤから他のプレーヤにコンテンツを配信する配信システムが記載されている。特許文献１に記載されているように、配信システムは、あるプレーヤがコンテンツを再生しつつ、かつあるプレーヤから他のプレーヤにコンテンツを配信して該他のプレーヤでコンテンツを再生することで、同期再生を行なう。【０００３】
特許文献２に記載されているように、一般的なプレーヤには、コンテンツを管理するための管理情報として、ユーザの選んだ任意のコンテンツを示すプレイリスト（お気に入り、アルバム、等とも称される。）が記憶されている。ユーザは、プレーヤに記憶されているプレイリストを読み出すことで、過去に選んだ任意のコンテンツを再生させることができる。
【先行技術文献】
【特許文献】
【０００４】
【特許文献１】特表２０１５−５３３４４１号公報
【特許文献２】特表２０１６−５２０８５０号公報
【発明の概要】
【発明が解決しようとする課題】
【０００５】
コンテンツの配信を行なうプレーヤ（親機）は、１つであるとは限らない。例えば、配信システムは、複数の親機として、第１再生装置および第２再生装置を備える場合がある。この場合、第１再生装置および第２再生装置は、それぞれ別の場所に設置され、別のコンテンツを再生する。【０００６】
ここで、ユーザは、例えば第１再生装置が設置された場所に居るときに、第２再生装置に記憶されているプレイリストを読み出して、第２再生装置において管理されている任意のコンテンツを再生したい場合がある。【０００７】
このように、複数の再生装置が存在する場合に、ユーザは、それぞれの再生装置において管理されている任意のコンテンツを、任意の再生装置において自由に再生したい場合がある。【０００８】
そこで、この発明の一実施形態の目的は、複数の再生装置が存在する場合に、ユーザは、それぞれの再生装置において管理されている任意のコンテンツを、任意の再生装置において自由に再生する情報処理装置を提供することにある。
【課題を解決するための手段】
【０００９】
情報処理装置は、情報取得部と、再生情報送信部と、を備えている。情報取得部は、第１再生装置からコンテンツの第１管理情報を取得する。再生情報送信部は、前記情報取得部が取得した前記第１管理情報に基づいて、前記第２再生装置に対して、前記第１再生装置の管理するコンテンツを再生させる再生情報を送信する。
【発明の効果】
【００１０】
本発明の一実施形態によれば、複数の再生装置が存在する場合に、ユーザは、それぞれの再生装置において管理されている任意のコンテンツを、任意の再生装置において自由に再生することができる。
【図面の簡単な説明】
【００１１】
【図１】配信システムの概要を示す図である。
【図２】第１再生装置１Ａの主要構成を示すブロック図である。
【図３】スマートフォンの主要構成を示すブロック図である。
【図４】アプリケーション画面の一例を示すである。
【図５】スマートフォン２および第２再生装置１Ｂの動作を示すフローチャートである。
【図６】装置間のデータの流れを示す図である。
【図７】管理情報の一例を示す図である。
【図８】変形例１に係るアプリケーション画面を示すである。
【図９】変形例２に係るアプリケーション画面を示すである。
【図１０】管理情報の一例を示す図である。
【図１１】変形例３に係るアプリケーション画面を示すである。
【図１２】変形例４に係るアプリケーション画面を示すである。
【図１３】変形例５において、装置間のデータの流れを示す図である。
【図１４】図１４（Ａ）は、装置の一覧を表示するアプリケーション画面を示す図であり、図１４（Ｂ）は、選択された装置で管理されているコンテンツの一覧を示す図である。
【発明を実施するための形態】
【００１２】
図１は、配信システム９００の概要を示す図である。配信システム９００は、第１再生装置１Ａ、第１子機１１Ａ、第２子機１１Ｂ、第２再生装置１Ｂ、第３子機１２Ａ、第４子機１２Ｂ、第５子機１２Ｃ、およびスマートフォン２を備えている。
【００１３】
図１においては、第１再生装置１Ａ、第２再生装置、およびスマートフォン２は、ネットワーク（ＬＡＮ）を介して接続されている。なお、全ての装置は、互いにルータ（不図示）を介して通信可能な状態となっている。
【００１４】
第１再生装置１Ａ、第１子機１１Ａ、第２子機１１Ｂ、第２再生装置１Ｂ、第３子機１２Ａ、第４子機１２Ｂ、および第５子機１２Ｃは、それぞれ例えばＡＶレシーバ、セットトップボックス、ＢＤプレーヤ、またはスピーカ装置等からなる。
【００１５】
第１再生装置１Ａおよび第２再生装置１Ｂは、スマートフォン２に各種の情報を送受信することができる。スマートフォン２は、第１再生装置１Ａおよび第２再生装置１Ｂのコントローラとして機能する。また、全ての装置は、互いにルータ（不図示）を介して通信可能な状態となっているため、スマートフォン２は、第１子機１１Ａ、第２子機１１Ｂ、第３子機１２Ａ、第４子機１２Ｂ、および第５子機１２Ｃのコントローラとしても機能する。
【００１６】
図２は、第１再生装置１Ａの主要構成を示すブロック図である。図２においては、代表して第１再生装置１Ａの構成を示すが、第２再生装置１Ｂも同じ構成および同じ機能を有する。また、第１子機１１Ａ、第２子機１１Ｂ、第３子機１２Ａ、第４子機１２Ｂ、および第５子機１２Ｃも、同様の構成および機能を備えている。この例では、第１再生装置１Ａおよび第２再生装置１Ｂがコンテンツの配信を行なう親機となるが、第１子機１１Ａ、第２子機１１Ｂ、第３子機１２Ａ、第４子機１２Ｂ、または第５子機１２Ｃも、コンテンツの配信を行なう親機として機能することが可能である。
【００１７】
第１再生装置１Ａは、入力インタフェース（Ｉ／Ｆ）１０１、制御部１０２、ＲＯＭ１０３、ＲＡＭ１０４、ＤＳＰ１０５、出力Ｉ／Ｆ１０６、および通信Ｉ／Ｆ１０７を備えている。
【００１８】
制御部１０２は、ＲＯＭ１０３に記憶されているプログラムをワークメモリであるＲＡＭ１０４に読み出して実行することにより、第１再生装置１Ａの各構成を統括的に制御する。
【００１９】
入力Ｉ／Ｆ１０１は、ＨＤＭＩ（登録商標）端子、ＵＳＢ端子、デジタルオーディオ端子、またはアナログオーディオ端子等の複数のインタフェースを有する。また、Ｂｌｕｅｔｏｏｔｈ（登録商標）、またはＮＦＣ等の近接ネットワーク通信インタフェースも、入力Ｉ／Ｆ１０１に含まれる。また、第１再生装置１Ａは、ＣＤ、ＤＶＤ、またはＢＤ等のメディアからコンテンツデータを読み出す機能（プレーヤ機能）を内蔵していてもよい。
【００２０】
第１再生装置１Ａは、入力Ｉ／Ｆ１０１を介して、コンテンツデータを入力する。コンテンツデータは、例えば、ＭＰＥＧ４等のエンコードデータ、デジタルオーディオ信号、アナログオーディオ信号、デジタル映像信号、またはアナログ映像信号等である。コンテンツとは、音のコンテンツだけではなく、テキストのコンテンツまたは映像のコンテンツ、等がある。入力Ｉ／Ｆ１０１に入力されたコンテンツデータは、制御部１０２の制御により、ＤＳＰ１０５に入力される。
【００２１】
ＤＳＰ１０５は、コンテンツデータをデコードして、デジタルオーディオ信号に変換したり、当該デジタルオーディオ信号に各種音響処理を行ったりする。ただし、ＤＳＰ１０５の各種処理は、制御部１０２によるソフトウェアで実現されてもよい。ＤＳＰ１０５で処理された後のオーディオ信号または映像信号は、出力Ｉ／Ｆ１０６を介して出力される。出力Ｉ／Ｆ１０６には、例えばＴＶ（不図示）またはスピーカ（不図示）等の装置が接続されている。ＴＶは、映像信号に係る映像を表示し、スピーカは、オーディオ信号に係る音を出力する。
【００２２】
通信Ｉ／Ｆ１０７は、有線ＬＡＮまたは無線ＬＡＮのインタフェースである。第１再生装置１Ａは、通信Ｉ／Ｆ１０７を介して、スマートフォン２から各種情報を受信する。制御部１０２は、受信した制御情報に基づいて、各種の動作を行なう。
【００２３】
また、第１再生装置１Ａは、通信Ｉ／Ｆ１０７を介して、第１子機１１Ａおよび第２子機１１Ｂにコンテンツデータを配信する。第１子機１１Ａおよび第２子機１１Ｂは、それぞれ第１再生装置１Ａから受信したコンテンツデータを再生する。第１再生装置１Ａは、第１子機１１Ａおよび第２子機１１Ｂにおけるコンテンツの出力タイミングに合わせて、自装置におけるコンテンツの出力タイミングを調整する。これにより、第１再生装置１Ａ、第１子機１１Ａ、および第２子機１１Ｂにおいて、１つのグループとして、同期再生を行なうことができる。第２再生装置１Ｂ、第３子機１２Ａ、第４子機１２Ｂ、および第５子機１２Ｃにおいても、同様の構成および機能により、１つのグループとして同期再生が行なわれる。
【００２４】
例えば、図１の例では、第１再生装置１Ａ、第１子機１１Ａ、および第２子機１１Ｂは、Ｒｏｏｍ１に設置されている。したがって、ユーザは、Ｒｏｏｍ１に設置された第１再生装置１Ａ、第１子機１１Ａ、および第２子機１１Ｂにおいて、同じコンテンツを聞くことができる。同様に、図１の例では、第２再生装置１Ｂ、第３子機１２Ａ、第４子機１２Ｂ、および第５子機１２Ｃは、Ｒｏｏｍ２に設置されている。したがって、ユーザは、Ｒｏｏｍ２に設置された第２再生装置１Ｂ、第３子機１２Ａ、第４子機１２Ｂ、および第５子機１２Ｃにおいて、同じコンテンツを聞くことができる。
【００２５】
次に、図３は、スマートフォン２の主要構成を示すブロック図である。スマートフォン２は、タッチパネル３０１、制御部３０２、ＲＯＭ３０３、ＲＡＭ３０４、表示部３０５、および通信Ｉ／Ｆ３０６を備えている。スマートフォン２は、情報処理装置の一例である。
【００２６】
タッチパネル３０１は、利用者からの操作を受け付ける受付部に相当する。表示部３０５は、利用者に各種情報を提示する。スマートフォン２は、タッチパネル３０１および表示部３０５により、ＧＵＩ（Graphical User Interface）を実現する。
【００２７】
制御部３０２は、記憶媒体であるＲＯＭ３０３に記憶されているＯＳおよびアプリケーションプログラムをＲＡＭ３０４に読み出すことで、各種の動作を行なう。図３に示す例では、制御部３０２は、情報取得部３９１、再生情報送信部３９２、および表示処理部３９３として機能する。表示処理部３９３は、ユーザからタッチパネル３０１を介してアプリケーションプログラムの起動が指示されると、指示されたアプリケーションプログラムを起動し、表示部３０５に該アプリケーションプログラムの画面を表示する。
【００２８】
図４（Ａ）は、アプリケーションプログラムの画面の一例を示す図である。図５は、スマートフォン２の動作を示すフローチャートである。図６は、装置間の情報の流れを示す図である。図４（Ａ）に示す画面では、第１再生装置１Ａ、第１子機１１Ａ、および第２子機１１Ｂにより形成される同期再生のグループとして、設置場所を示すＲｏｏｍ１というグループ名が表示されている。同様に、図４（Ａ）に示す画面では、第２再生装置１Ｂ、第３子機１２Ａ、第４子機１２Ｂ、および第５子機１２Ｃにより形成される同期再生のグループとして、Ｒｏｏｍ２というグループ名が表示されている。
【００２９】
ここで、例えばユーザがＲｏｏｍ２を選択すると、制御部３０２は、図４（Ｂ）に示すようなＲｏｏｍ２の管理画面を表示する。図４（Ｂ）に示す管理画面では、ユーザは、Ｒｏｏｍ２において再生する対象コンテンツを選択することができる。例えば、ユーザがＵＳＢを選択すると、制御部３０２は、グループ内の親機である第２再生装置１ＢのＵＳＢインタフェースに接続されている機器からコンテンツデータを読み出して、該コンテンツデータを再生する。
【００３０】
ここで、図４（Ｂ）に示すように、ユーザが「Ｆａｖｏｒｉｔｅｓ」のアイコン画像を選択すると、表示処理部３９３は、図４（Ｃ）に示すＦａｖｏｒｉｔｅｓ画面を表示する。本実施形態の表示処理部３９３は、第１再生装置１Ａおよび第２再生装置１Ｂにおいてそれぞれ記憶されている第１管理情報および第２管理情報を取得して、図４（Ｃ）に示すように、該第１管理情報および該第２管理情報を統合して表示する。
【００３１】
管理情報とは、図７に示すような、ユーザの選んだ任意のコンテンツリストの内容を示す情報である。図７の例では、第１再生装置１Ａは、管理情報として、２つのコンテンツ（曲名ＡＡＡおよび曲名ＢＢＢ）の内容を示す情報を記憶している。第２再生装置１Ｂは、管理情報として、２のコンテンツ（曲名ＣＣＣおよび曲名ＤＤＤ）の内容を示す情報を記憶している。すなわち、ユーザは、Ｒｏｏｍ１において、曲名ＡＡＡのコンテンツおよび曲名ＢＢＢのコンテンツをＦａｖｏｒｉｔｅｓとして選んでいる。したがって、第１再生装置１Ａは、曲名ＡＡＡのコンテンツおよび曲名ＢＢＢのコンテンツの内容を示す管理情報を記憶する。また、ユーザは、Ｒｏｏｍ２において、曲名ＣＣＣのコンテンツおよび曲名ＤＤＤのコンテンツをＦａｖｏｒｉｔｅｓとして選んでいる。したがって、第２再生装置１Ｂは、曲名ＣＣＣのコンテンツおよび曲名ＤＤＤのコンテンツの内容を示す管理情報を記憶する。
【００３２】
現在の状態では、図４（Ａ）に示すように、Ｒｏｏｍ２において、第２再生装置１Ｂは、記憶された管理情報に基づいて、曲名ＣＣＣのコンテンツを再生し、かつ、曲名ＣＣＣのコンテンツを第３子機１２Ａ、第４子機１２Ｂ、および第５子機１２Ｃに配信している。
【００３３】
制御部３０２は、図４（Ｂ）に示したように、ユーザが「Ｆａｖｏｒｉｔｅｓ」のアイコン画像を選択すると、図５に示すフローチャートの動作を開始する。まず、制御部３０２における情報取得部３９１は、第１再生装置１Ａおよび第２再生装置１Ｂから、それぞれ第１管理情報および第２管理情報を取得する（Ｓ１１）。その後、表示処理部３９３は、取得した第１管理情報および第２管理情報を統合して（Ｓ１２）、図４（Ｃ）に示したＦａｖｏｒｉｔｅｓ画面を表示部３０５に表示する（Ｓ１３）。例えば、図７の例では、表示処理部３９３は、第１管理情報および第２管理情報に記載された曲情報をＦａｖｏｒｉｔｅｓ画面に表示している。また、表示処理部３９３は、楽曲ＩＤ（ＳｏｎｇＩＤ）、Ｓｏｕｒｃｅ、アルバムアート等の情報も、Ｆａｖｏｒｉｔｅｓ画面に表示してもよい。これにより、ユーザは、Ｒｏｏｍ２の管理画面内においても、第１再生装置１ＡのＦａｖｏｒｉｔｅｓを参照することができる。
【００３４】
そして、ユーザがＦａｖｏｒｉｔｅｓ画面において、特定のコンテンツを選択する操作を行なうと（Ｓ１４のＹｅｓ）、再生情報送信部３９２は、管理情報（第１管理情報または第２管理情報）に基づいて、対象の再生装置（第１再生装置１Ａまたは第２再生装置１Ｂ）に対し、対象コンテンツを再生させるための再生情報を送信する（Ｓ１５）。
【００３５】
例えば、図４（Ｃ）に示すように、ユーザが第１再生装置１Ａで管理されているコンテンツ（曲名ＡＡＡ）を選択すると、情報取得部３９１は、第１管理情報から、曲名ＡＡＡを再生するために必要な情報である再生情報を取得する。再生情報送信部３９２は、情報取得部３９１で取得した再生情報を第２再生装置１Ｂに送信する。再生情報は、コンテンツが記憶されている装置を特定する情報（Ｓｏｕｒｃｅ）と、対象コンテンツを特定する情報（ＳｏｎｇＩＤ）と、が含まれる。
【００３６】
Ｓｏｕｒｃｅは、例えば、機器の名称、ＩＰアドレス、または識別情報（メーカーＩＤまたはＭＡＣアドレス等）、等の装置を一意に特定するための識別情報と、コンテンツデータを入力するインタフェースを示す情報と、が含まれている。
【００３７】
ＳｏｎｇＩＤは、対象コンテンツが一意に特定される識別情報であってもよいし、ディレクトリの選択位置を示す情報であってもよい。例えば、上述の曲名ＡＡＡのコンテンツがＵＳＢデバイスの最上層のディレクトリにおいて、２番目のデータとして保存されている場合には、選択位置を示す情報として、「１／２」という情報をＳｏｎｇＩＤとする。
【００３８】
なお、コンテンツの取得先は、配信システム内の装置であるとは限らない。例えば、外部サーバに保持されているコンテンツデータをダウンロード（またはストリーミング）する場合もある。この場合、図７のＳｏｎｇＩＤ００１０で示すコンテンツのように、再生情報としては、外部サーバのアドレス（ＵＲＬ）が示される。もしくは、ＵＲＬが事前に定義されている場合には、サービス名が示されていてもよい。例えば、サービス名が「ＹＹ」という名称である場合には、ｈｔｔｐ：／／ｗｗｗ．ＹＹ．ｃｏｍというＵＲＬがコンテンツの取得先となる。また、ＳｏｎｇＩＤに、ＵＲＬ等の情報が含まれていてもよい。
【００３９】
図７に示す例では、曲名ＡＡＡのコンテンツは、第１再生装置１Ａに接続されたＵＳＢデバイス機器に記憶されている。したがって、再生情報には、第１再生装置１Ａを特定する情報（例えばＩＰアドレス）およびＵＳＢデバイスを示す情報がＳｏｕｒｃｅの情報として含まれ、かつＳｏｎｇＩＤ：００１が対象コンテンツを特定する情報として含まれる。
【００４０】
なお、上述の例では、管理情報に、Ｆａｖｏｒｉｔｅｓ画面を表示するために必要な情報と、再生情報を得るために必要な情報と、が両方含まれている態様であったが、情報取得部３９１は、まず、Ｆａｖｏｒｉｔｅｓ画面を表示するために必要な情報を取得して、Ｆａｖｏｒｉｔｅｓ画面を表示し、その後、ユーザから対象コンテンツの選択を受け付けた時に、対象の装置から再生情報を取得するようにしてもよい。
【００４１】
以上のようにして、再生情報が第２再生装置１Ｂに送信されると、第２再生装置１Ｂは、当該再生情報を受信する（Ｓ２１）。第２再生装置１Ｂは、受信した再生情報に基づいて、コンテンツデータを取得する（Ｓ２２）。例えば、図４（Ｃ）および図６に示したように、再生情報として、第１再生装置１ＡのＵＳＢデバイスがＳｏｕｒｃｅの情報として含まれ、かつＳｏｎｇＩＤ：００１が対象コンテンツを特定する情報として含まれる場合、第２再生装置１Ｂは、第１再生装置１Ａに対して、ＳｏｎｇＩＤ：００１のコンテンツデータを送信するように要求し（リクエストを行ない）、対象コンテンツのデータを取得する。そして、第２再生装置１Ｂは、取得したコンテンツデータを再生する（Ｓ２３）。また、第２再生装置１Ｂは、取得したコンテンツデータを第３子機１２Ａ、第４子機１２Ｂ、および第５子機１２Ｃに配信する。
【００４２】
これにより、図４（Ｄ）に示すように、Ｒｏｏｍ２において、第２再生装置１Ｂは、曲名ＡＡＡのコンテンツを再生し、かつ、曲名ＡＡＡのコンテンツを第３子機１２Ａ、第４子機１２Ｂ、および第５子機１２Ｃに配信する状態となる。したがって、ユーザは、Ｒｏｏｍ２に設置された第２再生装置１Ｂ、第３子機１２Ａ、第４子機１２Ｂ、および第５子機１２Ｃにおいて、Ｒｏｏｍ１で管理されているコンテンツ（曲名ＡＡＡ）を聞くことができる。
【００４３】
このように、本実施形態の配信システムでは、複数の再生装置が存在する場合に、ユーザは、それぞれの再生装置において管理されている任意のコンテンツを、任意の再生装置において自由に再生することができる。
【００４４】
次に、図８（Ａ）は、変形例１に係るアプリケーション画面を示す図である。変形例１では、図８（Ａ）に示すように、例えばＲｏｏｍ２の管理画面において、ユーザが「Ｆａｖｏｒｉｔｅｓ」のアイコン画像を選択すると、まず図８（Ｂ）に示すような装置の選択画面（グループの選択画面）が表示される。ここで、例えばユーザがＲｏｏｍ１を選択すると、情報取得部３９１は、第１再生装置１Ａから第１管理情報を取得し、図４（Ｃ）に示すようなＲｏｏｍ１のＦａｖｏｒｉｔｅｓ画面を表示部３０５に表示する。
【００４５】
そして、ユーザがＲｏｏｍ１のＦａｖｏｒｉｔｅｓ画面において、特定のコンテンツとして、例えば曲名ＡＡＡのコンテンツを選択すると、情報取得部３９１は、第１管理情報から、曲名ＡＡＡを再生するために必要な情報である再生情報を取得する。再生情報送信部３９２は、取得した再生情報を第２再生装置１Ｂに送信する。
【００４６】
これにより、Ｒｏｏｍ２において、第２再生装置１Ｂは、曲名ＡＡＡのコンテンツを再生し、かつ、曲名ＡＡＡのコンテンツを第３子機１２Ａ、第４子機１２Ｂ、および第５子機１２Ｃに配信する状態となる。
【００４７】
次に、図９（Ａ）は、変形例２に係るアプリケーション画面を示す図である。変形例２では、ユーザは、親機である再生装置が管理するコンテンツだけでなく、子機の管理情報（第３管理情報）を取得して、子機が管理するコンテンツを表示して、選択することができる態様である。
【００４８】
例えば、図９（Ａ）に示すように、ユーザがＲｏｏｍ２の管理画面においてＦａｖｏｒｉｔｅｓのアイコン画像を選択すると、表示処理部３９３は、図９（Ｂ）に示すように、装置の選択画面（グループの選択画面）を表示する。ここで、例えばユーザがＲｏｏｍ１を選択すると、情報取得部３９１は、第１再生装置１Ａ、第１子機１１Ａ、および第２子機１１Ｂから、それぞれの管理情報を取得し、図９（Ｃ）に示すようなＲｏｏｍ１のＦａｖｏｒｉｔｅｓ画面を表示部３０５に表示する。
【００４９】
この例では、図１０に示すように、第１子機１１Ａは、管理情報として、曲名ＥＥＥの内容を示す情報を記憶している。また、第２子機１１Ｂは、管理情報として、曲名ＦＦＦの内容を示す情報を記憶している。
【００５０】
上述したように、第１子機１１Ａおよび第２子機１１Ｂは、コンテンツの配信を行なう親機として機能することも可能である。したがって、ユーザは、第１子機１１Ａが親機となった場合に、当該第１子機１１Ａが設置された場所において聞くＦａｖｏｒｉｔｅｓとして、曲名ＥＥＥのコンテンツを選んでいる。また、ユーザは、第２子機１１Ｂが親機となった場合に、当該第２子機１１Ｂが設置された場所において聞くＦａｖｏｒｉｔｅｓとして、曲名ＦＦＦのコンテンツを選んでいる。
【００５１】
情報取得部３９１は、第１再生装置１Ａだけでなく、第１子機１１Ａおよび第２子機１１Ｂからも、それぞれの装置に記憶されている管理情報を取得する。したがって、表示処理部３９３は、図９（Ｃ）に示すように、取得した第１再生装置１Ａ、第１子機１１Ａ、および第２子機１１Ｂの管理情報を、表示部３０５に表示する。
【００５２】
この場合、ユーザは、第１子機１１Ａまたは第２子機１１Ｂにおいて管理されているコンテンツを選択して、第２再生装置１Ｂにおいて再生させることができる。
【００５３】
次に、図１１（Ａ）は、変形例３に係るアプリケーション画面を示す図である。変形例３では、ユーザは、ネットワーク内に存在する全ての装置が管理するコンテンツを表示して、選択することができる態様である。
【００５４】
例えば、図１０（Ａ）に示すように、ユーザがＲｏｏｍ１を選択すると、表示処理部３９３は、図１０（Ｂ）に示すように、Ｒｏｏｍ１の管理画面を表示する。Ｒｏｏｍ１の管理画面において、ユーザが「Ｆａｖｏｒｉｔｅｓ」のアイコン画像を選択すると、情報取得部３９１は、第１再生装置１Ａ、第１子機１１Ａ、第２子機１１Ｂ、第２再生装置１Ｂ、第３子機１２Ａ、第４子機１２Ｂ、および第５子機１２Ｃから、それぞれの装置に記憶されている管理情報を取得する。表示処理部３９３は、図１０（Ｃ）に示すように、Ｆａｖｏｒｉｔｅｓ画面においては、配信システムの全ての装置において管理されているコンテンツを表示させる。
【００５５】
したがって、ユーザは、配信システムの全ての装置において管理されているコンテンツを参照することができ、任意の再生装置において、任意のコンテンツを再生させることができる。また、全ての装置で管理されているコンテンツを参照する場合に、まず、図１４（Ａ）に示すような、装置の一覧画面を表示してもよい。ここで、ユーザが特定の装置（例えば第１配信装置１Ａ）を選択すると、図１４（Ｂ）に示すように、選択された装置で管理されているコンテンツの一覧画面を表示するようにしてもよい。
【００５６】
次に、図１２は、変形例４に係るアプリケーション画面を示す図である。変形例４では、Ｆａｖｏｒｉｔｅｓ画面において、再生可能なコンテンツと、再生できないコンテンツと、を区別して表示する態様である。
【００５７】
例えば、図１２（Ａ）に示すように、ユーザがＲｏｏｍ１を選択すると、表示処理部３９３は、図１２（Ｂ）に示すように、Ｒｏｏｍ１の管理画面を表示する。Ｒｏｏｍ１の管理画面において、ユーザが「Ｆａｖｏｒｉｔｅｓ」のアイコン画像を選択すると、図１２（Ｃ）に示すように、Ｆａｖｏｒｉｔｅｓ画面において、配信システムの全ての装置において管理されているコンテンツを表示させる。ここで、仮に、第２再生装置１Ｂにおいて管理されているコンテンツ（曲名ＣＣＣおよび曲名ＤＤＤ）が、最新のフォーマットでエンコードされている場合において、第１再生装置１ＡのＯＳが古く、当該最新のフォーマットでエンコードされたコンテンツを再生できない場合に、表示処理部３９３は、最新のフォーマットでエンコードされた曲名ＣＣＣおよび曲名ＤＤＤのコンテンツについて、グレー表示とする。または、表示処理部３９３は、最新のフォーマットでエンコードされた曲名ＣＣＣおよび曲名ＤＤＤのコンテンツは、Ｆａｖｏｒｉｔｅｓ画面に表示しないようにしてもよい。
【００５８】
上述の例では、再生可能であるフォーマットのコンテンツであるか否かについて示したが、例えば第１再生装置１Ａが映像データを再生できない場合に、第２再生装置１Ｂが映像データを管理している場合等も同様である。
【００５９】
次に、図１３は、変形例５として、再生装置が主体的に再生情報を得る場合の装置間のデータの流れを示す図である。
【００６０】
変形例５では、スマートフォン２がなく、ユーザは、第１再生装置１Ａに設けられた表示部（不図示）および操作部（不図示）を用いて、Ｆａｖｏｒｉｔｅｓ画面を確認し、第２再生装置１Ｂが管理しているコンテンツの再生指示を行なう。無論、ユーザは、スマートフォン２を介してＦａｖｏｒｉｔｅｓ画面を確認し、第２再生装置１Ｂが管理しているコンテンツの再生指示を行ってもよい。
【００６１】
変形例５では、第１再生装置１Ａの制御部１０２が、第２再生装置１Ｂから第２管理情報を取得する。第１再生装置１Ａの制御部１０２は、取得した管理情報に基づいて、Ｆａｖｏｒｉｔｅｓ画面を表示する。ユーザが対象コンテンツを選択すると、制御部１０２は、再生情報を取得する。再生情報は、先に取得した管理情報から抽出するようにしてもよいが、制御部１０２は、まず、Ｆａｖｏｒｉｔｅｓ画面を表示するために必要な情報を先に取得してＦａｖｏｒｉｔｅｓ画面を表示し、その後、ユーザから対象コンテンツの選択を受け付けた時に、対象の装置（第２再生装置１Ｂ）から再生情報を取得するようにしてもよい。
【００６２】
そして、第１再生装置１Ａは、取得した再生情報に基づいて、対象コンテンツのデータを取得する。例えば、図１３に示すように、再生情報として、第２再生装置１ＢのＵＳＢデバイスがＳｏｕｒｃｅの情報として含まれ、かつＳｏｎｇＩＤ：００２が対象コンテンツを特定する情報として含まれる場合、第１再生装置１Ａは、第２再生装置１Ｂに対して、ＳｏｎｇＩＤ：００２のコンテンツデータを送信するように要求し（リクエストを行ない）、対象コンテンツのデータを取得する。そして、第１再生装置１Ａは、取得したコンテンツデータを再生する。また、第１再生装置１Ａは、取得したコンテンツデータを第１子機１１Ａおよび第２子機１１Ｂに配信する。また、スマートフォン２が、第１再生装置１Ａに対して、第２再生装置１Ｂから再生指示を取得させるように、指示してもよい。この場合、第２再生装置１Ｂは、スマートフォン２から指示された装置（第２再生装置１Ｂ）から、対象コンテンツの再生情報を取得し、対象コンテンツのデータを取得する。
【００６３】
なお、上述の実施形態では、第１再生装置１Ａおよび第２再生装置１Ｂは、それぞれコンテンツの配信を行なう親機として機能する例を示したが、本発明において配信は必須ではない。
【００６４】
上述の実施形態の説明は、すべての点で例示であって、制限的なものではないと考えられるべきである。本発明の範囲は、上述の実施形態ではなく、請求の範囲によって示される。更に、本発明の範囲には、請求の範囲と均等の意味及び範囲内での全ての変更が含まれることが意図される。
【符号の説明】
【００６５】
１Ａ…第１再生装置
１Ｂ…第２再生装置
２…スマートフォン
１１Ａ…第１子機
１１Ｂ…第２子機
１２Ａ…第３子機
１２Ｂ…第４子機
１２Ｃ…第５子機
１０１…入力Ｉ／Ｆ
１０２…制御部
１０３…ＲＯＭ
１０４…ＲＡＭ
１０５…ＤＳＰ
１０６…出力Ｉ／Ｆ
１０７…通信Ｉ／Ｆ
３０１…タッチパネル
３０２…制御部
３０３…ＲＯＭ
３０４…ＲＡＭ
３０５…表示部
３０６…通信Ｉ／Ｆ
３９１…情報取得部
３９２…再生情報送信部
３９３…表示処理部
９００…配信システム
【図１】
0006665941.tif 000002
【図２】
0006665941.tif 000003
【図３】
0006665941.tif 000004
【図４】
0006665941.tif 000005
【図５】
0006665941.tif 000006
【図６】
0006665941.tif 000007
【図７】
0006665941.tif 000008
【図８】
0006665941.tif 000009
【図９】
0006665941.tif 000010
【図１０】
0006665941.tif 000011
【図１１】
0006665941.tif 000012
【図１２】
0006665941.tif 000013
【図１３】
0006665941.tif 000014
【図１４】
0006665941.tif 000015